(57)【要約】      （修正有）【課題】食糞の防止とトイレ回りを衛生的に保ち、排泄後のみ報知するようにしペットがトイレの躾を判り易く覚えることができるペット用トイレを提供する。【解決手段】床１の周囲を壁２と進入扉３、退出扉４により外部空間と区画し単純な動作のみで、トイレの躾をペットに判り易く教えることができ、かつ音声報知器７を本体と一体とし退出扉４の開閉により作動するスイッチ８により排泄後のみ報知するようにした。【選択図】図１
0003149453.tif 000002
【実用新案登録請求の範囲】
【請求項１】
吸収シートを敷設した床と前記床の周囲を取り囲む壁とからなり前記壁の一部に扉を有することを特徴とするペット用トイレ。
【請求項２】
前記扉が、前記壁、前記床、前記壁と前記床、そのいずれかに軸止されていることを特徴とする請求項１記載のペット用トイレ。
【請求項３】
前記扉は、弾性体あるいは、前記扉の重心をずらすことにより自動閉鎖するヒンジによって前記壁、前記床、前記壁と前記床、そのいずれかに軸止されていることを特徴とする請求項２記載のペット用トイレ。
【請求項４】
前記壁が前記床から着脱自在であることを特徴とする請求項１から請求項３の、いずれかに記載のペット用トイレ。
【請求項５】
前記壁は２個の前記扉を有し、一は内側にのみ開き、一は外側にのみ開くことを特徴とする請求項１から請求項４の、いずれかに記載のペット用トイレ。
【請求項６】
請求項1記載のペット用トイレにおいて、さらに音声報知器を設けたことを特徴とするペット用トイレ。
【請求項７】
前記音声報知器は、前記ペット用トイレの扉の開閉により作動することを特徴とする請求項６記載のペット用トイレ。
【考案の詳細な説明】
【技術分野】
【０００１】
本考案は、ペット用トイレの床の周囲に壁を設け、その壁の一部に扉を設けたペット用トイレに関するものである。
【背景技術】
【０００２】
ペット用トイレに関する従来の技術は、床の一部としての平板タイプ、左右２面の壁を立ち上げたタイプ、３面の壁を立ち上げコの字状としたタイプや、特許文献１のように単体としてのペット用トイレでは無いがサークル内を開閉自在の扉を用いてトイレ空間と寝る空間とに分割したものである。
またペットの排泄が終了したか、飼い主が確認の為に一々立ち上がらずに知る方法として特許文献２のように本体とは別にトイレの出入り口に押圧感知型の音声報知マットを敷設したものである。
【特許文献１】特許公開２００７―１５９４１９
【特許文献２】登録実用新案第３０６６５５０
【考案の開示】
【考案が解決しようとする課題】
【０００３】
以上の技術において、最も一般的なペット用トイレは、床の一部としての平板タイプであるが、壁が無く雄犬のおしっこが飛び散り易かった、また左右の壁のみ立ち上げたタイプや３面の壁を立ち上げたタイプは、前記の欠点を解消したが、退出の際にペットが方向転換の為の動作を行い、トイレシートの排泄物の上を歩き回って手足に排泄物が付着し、その手足で廊下や部屋を歩き回たりと不衛生な状態を生じた。
また単体としてのペット用トイレでは無いが開閉自在の扉にてトイレと寝るスペースとに分割したサークルもあるが、いずれのタイプもトイレへの出入りが自由に行える為、文頭から記したタイプと同様な問題と食糞行為をおこし易く、トイレの躾をペットに判り易く教えることが困難である。
またペットの排泄が完了したか、飼い主が確認の為に一々立ち上がらずに知る方法として本体とは別にペットの出入り口に押圧感知型の音声報知マットを敷設し排泄が終了したかを知る方法があるが排泄とはまったく関係なく音声報知マット上をペットが通過する度に鳴ってしまう。
【０００４】
そこで、この考案は、ペット用トイレを排泄の為だけの空間としてペットに認識させ排泄を的確に所定の位置にて行い排泄後ペットを速やかにトイレから退出させることによりペットがトイレシートの上を歩き回って手足に排泄物が付着し、その手足で廊下や部屋を歩き回ることが無いようにトイレ周りの空間を衛生的な状態に保ちつつ食糞の防止を可能とし、飼い主にとって負担が大きく最も頭の痛いトイレの躾を、ペットに判り易く簡単に教えることが出来る。
また、音声報知器を本体と一体化することによりペットの排泄後のみ報知するペット用トイレを提供することを課題とする。
【課題を解決するための手段】
【０００５】
以上の課題を解決するために第一の考案は、吸収シートを敷設した床と前記床の周囲を取り囲む壁とからなり前記壁の一部に扉を有するペット用トイレである。
【０００６】
第二の考案は、前記扉が、前記壁、前記床、前記壁と前記床、そのいずれかに軸止されているペット用トイレである。
【０００７】
第三の考案は、前記扉が、弾性体あるいは、前記扉の重心をずらすことにより自動閉鎖するヒンジによって前記壁、前記床、前記壁と前記床、そのいずれかに軸止されているペット用トイレである。
【０００８】
第四の考案は、前記壁が前記床から着脱自在であるペット用トイレである。
【０００９】
第五の考案は、前記壁は、２個の前記扉を有し、一は内側にのみ開き、一は外側にのみ開くペット用トイレである。
【００１０】
第六の考案は、第一の考案記載のペット用トイレにおいて、さらに音声報知器を設けたペット用トイレである。
【００１１】
第七の考案は、前記音声報知器は、前記ペット用トイレの扉の開閉により作動するペット用トイレである。
【考案の効果】
【００１２】
上述の形状とすることにより、トイレを排泄の為の空間としてペットが認識し易く、所定の位置で的確に排泄が出来るようになり排泄後、速やかにトイレから退出する動作を教えることにより食糞の防止とトイレ周りの空間を衛生的な状態に保つことができトイレの躾を、ペットに判り易く教えることが可能となる。
また、退出用の扉の開閉により排泄後のみ音声にて報知する為、飼い主が確認の為に一々立ち上がる必要が無くなり室内でペットが飼い易くなる。
【考案を実施するための最良の形態】
【００１３】
本考案に係るペット用トイレＴの構成を図１を参照し説明する。
図１の本考案のペット用トイレＴの実施例を示す斜視図において、高分子吸収体を含む吸収シート５を敷設した床１の周囲にペットの肩の高さ程度に壁２を立ち上げ、その一部にペットの進入、退出を妨げない範囲を横幅とする二箇所の開口を設け、その開口に両開き扉が壁２に軸止されている。
その扉の一をペット用トイレＴへの進入用としペット用トイレＴの内部方向にのみ開く進入扉３とし、もう一をペット用トイレＴからの退出用としペット用トイレＴの外部方向にのみ開く退出扉４とする。
上記進入扉３、退出扉４は、バネ等の弾性体により進入、退出後速やかに自動閉鎖するヒンジ６により壁２に軸止されている。
また床１の一部には音声報知器７が内蔵されており退出扉４の開閉をスイッチ８として作動報知する。
【００１４】
ペット用トイレＴは以上に述べた構成を有し次にペット用トイレＴの作用について説明する。
飼い主がペットの排泄行為の信号を察知した場合、速やかにペット用トイレＴの進入扉３に首輪に手を添えるなどしてペットを誘導しペットの鼻、頭の部分にて進入扉３を開かせペット用トイレＴの床１の吸収シート５上へ誘導する。
進入扉３は、ペット用トイレＴの内部方向にのみ開きバネ等の弾性体により自動閉鎖機構を持つヒンジ６にて壁２に軸止された観音開きの扉でありペットが排泄の為トイレに進入し所定の位置に着くと進入扉３が自動閉鎖し吸収シート５以外の場所を排泄物にて汚すことを防止できる。
又、進入扉３からはペット用トイレＴの外部には出られない為、吸収シート５の上を歩き回って手足に排泄物が付着し、その手足で廊下や部屋を歩き回ることが無くトイレ周りの空間を衛生的な状態に保つことが可能となる。
【００１５】
次に飼い主がペットの排泄行為の完了を確認したら速やかにペットの首輪に手を添えるなどして退出扉４へ誘導しペットの鼻、頭の部分にて退出扉４を開かせトイレの外へ退出させる。
退出扉４は、ペット用トイレＴの外部方向にのみ開きバネ等の弾性体により自動閉鎖機構を持つヒンジ６にて壁２に軸止された観音開きの扉でありペットが排泄後ペット用トイレＴから外部へ退出すると退出扉４が自動閉鎖し再度ペット用トイレＴ内に戻ることが不可能となり排泄物にて手足を汚したり食糞行為を防止できる。
【００１６】
退出が完了したら飼い主はペットにやさしく声をかけるなど充分に褒めてあげる。
以上の排泄の為の『進入、排泄、退出、褒める』の単純な動作を何度も繰り返し教えることによりトイレの躾を、ペットに判り易く教えることができる。
また床１の一部には音声報知器７が内蔵されており退出扉４の開閉をスイッチ８として排泄後のみ音声にて報知する為、ペット用トイレＴを別室や廊下などに設置している場合、飼い主が一々立ち上がり汚物が有るかを確認する必要が無く室内でペットが飼い易くなる。
また、大型犬の場合、本体ペット用トイレＴを、移動し易くするため床１と壁２を着脱自在とすることも可能である。
【産業上の利用可能性】
【００１７】
ペットを室内で飼う際、飼い主にとって負担が大きく、最も頭の痛いトイレの躾を、扉と壁にて周りの空間と区画したことによりトイレ周りの空間を衛生的な状態に保つことを可能とし食糞行為の防止など、排泄の為の躾を簡単な動作のみにてペットが理解し易く教育できるため室内で飼い易くなりペット需要が増える。
【図面の簡単な説明】
【００１８】
【図１】本考案のペット用トイレの実施例を示す斜視図である。
【図２】ペット用トイレの実施例を示す鳥瞰図である。
【図３】ペット用トイレの実施例を示す側面図である。
【図４】ペット用トイレの実施例を示す背面図である。
【図５】ペット用トイレの実施例を示す正面図である。
【図６】ペット用トイレの実施例を示す断面図である。
【符号の説明】
【００１９】
１    床
２    壁
３    進入扉
４    退出扉
５    吸収シート
６    ヒンジ
７    音声報知器
８    スイッチ
Ｔ    ペット用トイレ
【図１】
0003149453.tif 000003
【図２】
0003149453.tif 000004
【図３】
0003149453.tif 000005
【図４】
0003149453.tif 000006
【図５】
0003149453.tif 000007
【図６】
0003149453.tif 000008